(57)【要約】【課題】完全な製品モニタリング管理のための製品偽造防止システムを提供すること。【解決手段】  製品偽造防止システムは、製品管理装置及び少なくともひとつの状態制御装置を備える。各製品は、製品シリアル番号を有し、対応するＲＦＩＤタグを備える。製品の状態が変化すると、製品状態装置を用いてＲＦＩＤタグから内部コードを読み取ったり、製品シリアル番号の読み取り又は入力を行ったり、新しい製品状態を入力したりして、製品経歴を作成する。状態制御装置を用いてＲＦＩＤタグから内部コードを読み取り、製品シリアル番号及び製品経歴を確認することによって、製品の信頼性及び提供元の合法性を判断することができる。【選択図】図２
2013025816.tif 000002
【特許請求の範囲】
【請求項１】
製品シリアル番号をそれぞれが有する複数の製品と、
前記製品にそれぞれ対応し、それぞれの内部コードを記憶する複数のＲＦＩＤタグと、
前記製品のそれぞれの前記製品シリアル番号、前記製品に対応する前記ＲＦＩＤタグのそれぞれの前記内部コード及び関連する製品情報を記憶する製品データベースを備える製品管理装置と、
前記製品管理装置に接続され、それぞれが各ＲＦＩＤタグに記憶された前記内部コードを読み取るＲＦＩＤタグリーダを備え、前記製品シリアル番号の読み取り又は入力を行い、新しい製品状態を入力し、前記製品管理装置の前記製品データベースに、対応する製品状態データを作成して前記製品のそれぞれの状態が変化するときに製品経歴を形成する少なくともひとつの状態制御装置と、を備え、
前記状態制御装置のそれぞれを用いて前記製品に対応する前記ＲＦＩＤタグのそれぞれの前記内部コードを読み取り、前記内部コード及び前記製品シリアル番号を確認して製品の信頼性を確認することが可能な製品偽造防止システム。
【請求項２】
前記製品状態には、製造済み、仕入れ済み、納品済み、展示、販売店、店舗、販売済み又は転売済みのうちのひとつが選択されることを特徴とする請求項１に記載の製品偽造防止システム。
【請求項３】
前記製品管理装置は、複数のメンバーアカウント及びメンバーデータを記憶するメンバーデータベースをさらに備えることを特徴とする請求項２に記載の製品偽造防止システム。
【請求項４】
前記製品状態が販売済み又は転売済みであるときに前記状態制御装置のそれぞれを用いて購入者のユーザＩＤを入力することができ、前記製品管理装置は、当該ユーザＩＤを前記製品データベースの前記製品状態データに記憶し、前記購入者に対応する前記メンバーデータベースにメンバーアカウント及びメンバーデータを作成することを特徴とする請求項３に記載の製品偽造防止システム。
【請求項５】
前記ユーザＩＤには、国民識別番号、パスポート番号、電話番号、携帯電話番号、電子メールアドレス、会社登記番号、ユーザ定義アカウント、特定アカウント又はその組み合わせのうちのひとつが選択されることを特徴とする請求項４に記載の製品偽造防止システム。
【請求項６】
前記製品管理装置は、新しいメンバーアカウントを作成すると、ショートメッセージ、電子メール、投稿、印刷、音声又はその組み合わせのうちのひとつを選択して用いて、前記購入者に前記メンバーアカウントのパスワードを送信することを特徴とする請求項５に記載の製品偽造防止システム。
【請求項７】
前記製品管理装置は、前記製品に対応する前記ＲＦＩＤタグを読み取ること、又は、前記状態制御装置を用いて前記製品の前記製品シリアル番号を入力することによって、前記製品のそれぞれの製品状態を調べることが可能なことを特徴とする請求項１に記載の製品偽造防止システム。
【請求項８】
前記製品管理装置は、ネットワークを介して前記状態制御装置のそれぞれに接続されることを特徴とする請求項６に記載の製品偽造防止システム。
【請求項９】
各メンバーは、製品状態を調べるためにネットワークを介して前記製品管理装置へのログインが認められていることを特徴とする請求項８に記載の製品偽造防止システム。
【請求項１０】
前記製品シリアル番号は、特性コード、バーコード、パターン又はその組み合わせのうちのひとつを選択して用いて表すことができることを特徴とする請求項１に記載の製品偽造防止システム。
【請求項１１】
前記ＲＦＩＤタグのそれぞれは、前記製品の表面に取り付けられる、又は、前記製品と組み合わせられるかが選択されて個別に管理されることを特徴とする請求項１に記載の製品偽造防止システム。
【請求項１２】
前記製品にそれぞれ対応する複数の完全性確認タグをさらに備え、当該完全性確認タグのそれぞれは、パッケージの封止部、開封位置又はそれぞれの製品を用いる位置に取り付け可能であることを特徴とする請求項１に記載の製品偽造防止システム。
【請求項１３】
前記完全性確認タグのそれぞれは、前記対応するＲＦＩＤタグに組み込み可能であることを特徴とする請求項１２に記載の製品偽造防止システム。
【発明の詳細な説明】
【技術分野】
【０００１】
本発明は、偽造防止技術に関し、特に、完全な製品のモニタリング管理を可能とする製品偽造防止システムに関する。
【背景技術】
【０００２】
近年、ＲＦＩＤ（無線自動識別）技術が改良され続けＲＦＩＤの応用範囲が拡大し続けている。
【０００３】
製品管理は、ＲＦＩＤ技術の重要な応用分野である。図１は、先行技術に係る製品管理におけるＲＦＩＤ技術の応用例を説明する図である。この応用例によると、ＲＦＩＤタグ１２が製品１０又はそのパッケージ１４の表面に取り付けられている。消費者が製品１０を購入すると、製品１０は、カウンターに運ばれＲＦＩＤタグリーダ（図示せず）によってスキャンされ、ＲＦＩＤタグリーダが製品データを取り出して素早く清算する。
【０００４】
清算が済むと、ＲＦＩＤタグリーダは、ＲＦＩＤタグ１２から盗難防止コードを取り外すための信号を送信するように制御される。これにより、製品１０は、出口にあるセンサの感知を通過することができるので、消費者は、店舗又は大型スーパーマーケットの外へと製品を持ち出せるようになる。
【０００５】
清算されていない製品を出口から持ち出した場合、出口のセンサがＲＦＩＤタグ１２の盗難防止コードを感知して店員に注意を喚起する警報を発する。
【０００６】
この製品管理システムにより、清算すべき製品１０が素早くスムーズに処理されるとともに、製品１０に対して盗難防止機能が提供される。
しかしながら、製品データは、ＲＦＩＤタグ１２に記憶されており、ＲＦＩＤタグリーダに直接接触しなくても読み取ることができる。同じ型のＲＦＩＤタグリーダを用いる悪意ある人間であれば、消費者が購入した製品の製品データを違法に盗み出すことができるため、消費者個人のプライバシー侵害を引き起こしたり、個人の安全さえも脅かしたりする。
【０００７】
上述した問題を克服するために、製造業者の中には、ＲＦＩＤタグ１２を製品のパッケージ１４のミシン目１４１に取り付けるところもある。
そのため、ユーザが製品１０を使用する又は製品１０のパッケージ１４を開けるとＲＦＩＤタグ１２が破損して、ＲＦＩＤタグ１２に記憶された製品データが他人によって読み取られることを防止している。
しかしながら、ＲＦＩＤタグ１２は破損するので、製品１０を識別したり管理したりすることができなくなり、偽造防止の機能も失われてしまう。消費者が製品１０を転売しようとする場合、彼（彼女）は、有効な認定書を提供することができないことがある。
【発明の概要】
【発明が解決しようとする課題】
【０００８】
本発明は、完全なモニタリング管理を可能とする製品偽造防止システムを提供することを目的とする。
【０００９】
本発明の他の目的は、製品管理装置及び少なくともひとつの状態制御装置を利用して製品状態を管理記録して製品経歴を形成し、効率的な製品管理及び製品の信頼性の確認を実現する製品偽造防止システムを提供することである。
【００１０】
本発明のさらに他の目的は、各製品がそれぞれひとつの製品シリアル番号を有するとともに内部コードを記憶するＲＦＩＤタグを取り付けられる製品偽造防止システムを提供することである。前記製品シリアル番号と前記内部コードを合致させることで、前記製品の確認が実現する。
【００１１】
本発明のさらに他の目的は、前記製品管理装置が、各製品の全ての状態を記録してメンバーの確認のための完全な製品経歴を形成する製品データベースを備える製品偽造防止システムを提供することである。
【００１２】
本発明のさらに他の目的は、前記製品管理装置が、メンバーのアカウント及びデータを記憶するメンバーデータベースを備え、前記製品データベースと組み合わせてより強力な製品制御を提供することが可能な製品偽造防止システムを提供することである。
【００１３】
本発明のさらに他の目的は、ユーザがユーザＩＤを提供すると、メンバーアカウントが開設される製品偽造防止システムを提供することである。
【００１４】
本発明のさらに他の目的は、前記ユーザＩＤには、国民識別番号、パスポート番号、電話番号、携帯電話番号、電子メールアドレス、会社登記番号、ユーザ定義アカウント、特定アカウント又はその組み合わせのうちのひとつが選択される製品偽造防止システムを提供することである。
【００１５】
本発明のさらに他の目的は、パスワードが、メンバーアカウントが作成された後で、ショートメッセージ、電子メール、投稿、印刷、音声及びその組み合わせのうちのひとつを選択して用いて購入者に送信される製品偽造防止システムを提供することである。
【課題を解決するための手段】
【００１６】
本発明は、製品偽造防止システムを提供するものであり、当該製品偽造防止システムは、製品シリアル番号をそれぞれが有する複数の製品と、前記製品にそれぞれ対応し、それぞれの内部コードを記憶する複数のＲＦＩＤタグと、前記製品のそれぞれの前記製品シリアル番号、前記製品に対応する前記ＲＦＩＤタグのそれぞれの前記内部コード及び関連する製品情報を記憶する製品データベースを備える製品管理装置と、前記製品管理装置に接続され、それぞれが各ＲＦＩＤタグに記憶された前記内部コードを読み取るＲＦＩＤタグリーダを備え、前記製品シリアル番号の読み取り又は入力を行い、新しい製品状態を入力し、前記製品管理装置の前記製品データベースに、対応する製品状態データを作成して前記製品のそれぞれの状態が変化するときに製品経歴を形成する少なくともひとつの状態制御装置と、を備え、前記状態制御装置のそれぞれを用いて前記製品に対応する前記ＲＦＩＤタグのそれぞれの前記内部コードを読み取り、前記内部コード及び前記製品シリアル番号を確認して製品の信頼性を確認することが可能な製品偽造防止システムである。
【図面の簡単な説明】
【００１７】
【図１】図１は、先行技術に係るＲＦＩＤを用いた製品管理を説明する概略図である。
【図２】図２は、本発明の一実施形態に係る製品偽造防止システムを示す概略図である。
【図３】図３は、本発明の一実施形態に係る製品構成の一例を説明する概略図である。
【図４】図４は、本発明の他の実施形態に係る製品構成の一例を説明する概略図である。
【発明を実施するための形態】
【００１８】
図２を参照すると、本発明の一実施形態に係る製品偽造防止システム２０が示されている。製品偽造防止システム２０は、製品管理装置２４と、少なくともひとつの状態制御装置、例えば、２６１，２６３，２６５を備える。各製品（例えば、第１の製品２７、第２の製品２８、第３の製品２９）は、製品シリアル番号２７１，２８１，２９１をそれぞれ有し、対応するＲＦＩＤタグ２７３，２８３，２９３を備える。
【００１９】
状態制御装置２６１，２６３，２６５はそれぞれ、製品管理装置２４に接続される。製品管理装置２４は、製品２７，２８，２９の製品シリアル番号２７１，２８１，２９１、対応するＲＦＩＤタグ２７３，２８３，２９３の内部コード及び関連する製品データを記憶する製品データベース２４１を含む。
【００２０】
状態制御装置２６１，２６３，２６５はそれぞれ、ＲＦＩＤタグ２７３，２８３，２９３に記憶された内部コードを読み取るためのＲＦＩＤタグリーダ（図示せず）を備える。また、状態制御装置２６１，２６３，２６５は、各製品のシリアル番号及び製品状態の読み取りや入力を行うこともできる。
【００２１】
製品２７，２８，２９の状態が、例えば、製造済み、仕入れ済み又は納品済み、展示用、販売店又は店舗に配達済み、販売済み又は転売済みなど変化すると、状態制御装置２６１，２６３，２６５を操作してそれぞれのＲＦＩＤタグ２７３，２８３，２９３の内部コードを読み取り、新しい状態を入力する。
結果として、対応する製品状態データが製品管理装置２４の製品データベース２４１に記憶される。製品状態データには、製品の名前、型、シリアル番号、内部コード、状態（製造済み、仕入れ済み、納品済み、展示、販売店、店舗、販売済み又は転売済みなど）、時間及び場所が含まれる。
【００２２】
本発明によると、全ての製品は、全ての段階の製品状態データを有する完全な製品経歴を有する。従って、何れかの段階で製品の信頼性が疑われた場合、製品及び関連するＲＦＩＤタグを持って状態制御装置２６１，２６３，２６５が設けられている場所に出向いて、状態制御装置２６１等を用いてＲＦＩＤタグに記憶された内部コードを読み取り、製品データベース２４１に記憶された製品シリアル番号を検索することができる。製品の製品シリアル番号が製品データベース２４１から検索した製品シリアル番号と合致すれば、製品が本物であることが証明される。
【００２３】
製品の信頼性が確認された後に製品の提供元が合法かどうかを判断するために製品データベース２４１に記録された製品経歴によって製品の状態を確認することもできる。
【００２４】
本発明の一実施形態では、製品管理装置２４は、メンバーのアカウント及びデータを記憶するメンバーデータベース２４３をさらに備える。会員権は、２つの方法によって得られる。ひとつは、製品を購入することにより得られる。そして、他方は、会員権を申請することにより得られる。
【００２５】
本発明では、消費者がひとつの製品を購入すると、状態制御装置２６１，２６３，２６５を用いて、製品の製品シリアル番号及びＲＦＩＤタグに記憶された内部コードを読み取って状態を更新し、製品状態データを製品管理装置２４の製品データベース２４１に記録する。このとき、購入者は、国民識別番号、パスポート番号、電話番号、携帯電話番号、電子メールアドレス、会社登記番号、ユーザ定義アカウント、特定アカウント又はその組み合わせなどのユーザＩＤを提供することができる。
ユーザＩＤを入力した後で、対応するメンバーデータを記録するためにメンバーアカウントが製品管理装置２４のメンバーデータベース２４３に開設され、製品データとメンバーアカウントの関係が設定され、メンバーアカウントが製品状態データに記録される。
【００２６】
製品管理装置２４に新しいメンバーアカウントを作成すると、メンバーアカウントのパスワードが、ショートメッセージ、電子メール、投稿、印刷、音声又はその組み合わせのうちのひとつを選択して購入者に送信される。
購入者は、アカウント管理、データ調査又は他のメンバーサービスのために、ユーザＩＤ及び対応するパスワードを入力することで製品管理装置２４にログインすることができる。さらに、購入者が製品を転売しようとする場合、購入者は、状態制御装置２６１，２６３，２６５が設けられている場所に出向いて転売状態を登録することができるので、転売品の購入者は、ユーザＩＤを提供してメンバーアカウントを作成しメンバーとなることができる。
【００２７】
本発明の一実施形態では、ＲＦＩＤタグ２７３，２８３，２９３は、製品の表面に取り付ける又は異なる製品管理要件に対して製品と組み合わせて個別に管理（保証カードのように）することができる。
【００２８】
本発明の一実施形態では、全ての状態制御装置２６１，２６３，２６５は、ネットワークによって製品管理装置２４に接続することができ、全てのメンバーは、情報装置２５を用いてネットワークに接続して、製品管理装置２４にログインすることができる。
【００２９】
本発明の一実施形態では、全ての製品の製品シリアル番号は、特性コード、バーコード、パターン又はその組み合わせのうちのひとつを選択して表すことができる。
【００３０】
本発明の一実施形態では、全ての製品（例えば、製品２９）は、パッケージの封止部、開封位置又は製品を使用するための位置に取り付けることができる完全性確認タグ２９５を備えることができる。
製品が開封されたり開かれたり使用されたりすると、完全性確認タグ２９５は、破損する。状態制御装置２６５が完全性確認タグ２９５を読み取れない場合、それは、製品が開封されたり開かれたり使用されたりして完全性を失ったことを意味する。
【００３１】
図３は、本発明の一実施形態に係る製品構成の一例を説明する図である。図示したように、本発明の製品３０は、製品シリアル番号３４及びＲＦＩＤタグ３６を備える。製品シリアル番号３４は、製品３０に取り付けられる。ＲＦＩＤタグ３６は、製品の表面に取り付ける又は製品と組み合わせて個別に管理することができる。
【００３２】
製品の完全性を判断する必要がある場合、完全性確認タグ３２を封止部（ミシン目３８１など）、開封位置又は製品を使用するための位置に取り付けることができる。製品３０を開封したり開いたり使用したりすると、完全性確認タグ３２は破損する。よって、完全性確認タグ３２が読み取り可能かどうかを判断することで、製品３０の完全性を認識することができる。もちろん、完全性確認タグ３２は、製品データベースの記録と合致しなければならない。
【００３３】
さらに、製品３０が開封されたり開かれたり使用された場合でも、製品の信頼性は、製品シリアル番号３４及びＲＦＩＤタグ３６の内部コードによって確認できる。製品管理装置の製品データベースに記録された製品経歴に従って、製品３０の提供元の合法性も確認することができる。
【００３４】
図４は、本発明の他の実施形態に係る製品構成の一例を説明する図である。図示したように、製品４０は、容器４２において運ばれ、封止キャップ（又は封止用瓶の栓）４６で封止される。製品４０は、瓶詰めされた飲料、化粧品、ワイン又は香水などである。
【００３５】
この応用例によると、完全性確認タグは、ＲＦＩＤタグ４８に組み込むことができる。
【００３６】
封止キャップ４６で封止される当該製品４０において、容器４２には製品シリアル番号４４が印されており、封止キャップ４６にはＲＦＩＤタグ４８が取り付けられている。ＲＦＩＤタグ４８は、内部コードをそこに記憶した内部コード回路４８１及び封止キャップ４６のミシン目４６１に取り付けられる完全性確認タグ４８３を含む。
【００３７】
製品４０を開けると、封止キャップ４６は、ミシン目４６１で破られ容器４２から取り外される。このとき、ＲＦＩＤタグ４８の完全性確認タグ４８３は破壊され、内部コード回路４８１がカフ４６３によって容器４２に保持される。
従って、製品４０を開けた後に状態制御装置を用いてＲＦＩＤタグ４８を読み取ると、製品４０の信頼性を確認する内部コードを取り出すことができる。完全性確認回路４８３は破壊され、完全性確認信号を取り出すことができないので、製品は完全性を失ったものと見なされる。  
【００３８】
本発明の製品偽造防止システム２０を用いることで、製品の信頼性及び製品の完全性を効率的に確認することができる。製品が使用され中古となった場合でも、このシステムなら、製品の信頼性を効率的に確認することができ、製品の提供元の合法性を辿ることができ、偽造品の販売や違法な取引を完全に阻止することができる。
【符号の説明】
【００３９】
２０  製品偽造防止システム
２２  ネットワーク
２４  製品管理装置
２４１  製品データベース
２４３  メンバーデータベース
２５  情報装置
２７  第１の製品
２８  第２の製品
２９  第３の製品
２６１，２６３，２６５  状態制御装置
２７１，２８１，２９１  製品シリアル番号
２７３，２８３，２９３  ＲＦＩＤタグ
２９５  完全性確認タグ
【図１】
2013025816.tif 000003
【図２】
2013025816.tif 000004
【図３】
2013025816.tif 000005
【図４】
2013025816.tif 000006